(57)【特許請求の範囲】
【請求項１】
遊技盤面に沿う方向に直線状に進退移動可能な第１演出体、又は前記遊技盤面に交差する方向に突出する回転軸により回転する第２演出体及び、それら演出体を動作させるモータを備えた演出装置であって、
前記第１演出体は、
その移動中心軸と交差する方向に突出する支軸に揺動自在に軸支され、かつその軸支点が当該第１演出体の重心から外れた位置に設定され、更に所定の遊技演出時に合わせて非動作状態から直線移動し、その移動時に前記遊技盤面に沿う方向でゆらゆらと不規則に揺れ動くように構成され、
前記第２演出体は、
前記回転軸の回転により回動するアームの前記回転軸から離れた位置の作動端側に固着された支軸に揺動自在に軸支され、かつその軸支点が当該第２演出体の重心から外れた位置に設定され、更に所定の遊技演出時に合わせて前記回転軸が回転し、その回転が停止するまで前記回転軸を中心に一方向又はその逆方向に公転回転し、その際の前記アームの駆動に伴って当該第２演出体の自重と慣性でゆらゆらと不規則に揺れ動くように構成されることを特徴とする遊技盤面における演出装置。
【請求項２】
前記第１演出体と前記第２演出体は、
前記遊技盤面に配置される図柄表示器の画面の四辺を囲むようにほぼ四角枠状に形成されたセンタ役物の一部をなし、
前記画面に表示される図柄及び／又は画像による所定の遊技演出時に合わせた前記直線移動又は前記公転回転によって、各々がゆらゆらと不規則に揺れ動くように構成されることを特徴とする請求項１に記載の遊技盤面における演出装置。
【発明の詳細な説明】
【技術分野】
【０００１】
本発明は、パチンコ機等の遊技盤面における演出装置に関するものである。
【背景技術】
【０００２】
パチンコ機の遊技盤面には、従来から遊技上の演出を行うために種々の演出体が取り付けられている。これらの演出体には、光を照射したり、眼を惹く動きをさせたりする等、演出効果を高めるための工夫が施されている。
【０００３】
このうち、遊技盤面に沿う方向に直線移動する演出体に光を照射して光の演出を行う技術（直線移動演出体光演出装置）としては、従来、特許文献１に記載のものがあった。これは、直線移動する演出体（可動体）自身には光源を持たせず、演出体が特定の位置（光の照射直線上）まで移動したときに光源から光を照射させ、あたかも演出体が発光しているような光の演出を行うというものである。これによれば、直線移動する演出体の光の演出を演出体自身に配線を施すことなく可能になるという利点がある。
また、演出体に眼を惹く動きをさせる技術（回転演出体駆動演出装置）としては、演出体自身を直接回転（自転）させるのではなく、アクチュエータの回転軸から若干離れた位置で同回転軸を中心にして演出体を回転（公転）させるというものがあった。
【０００４】
【特許文献１】特開２００３−８８６１７号公報
【発明の開示】
【発明が解決しようとする課題】
【０００５】
しかしながら上記従来の直線移動演出体光演出装置では、光の演出を演出体の移動範囲中の特定の位置でしか行うことができず、演出効果が不十分であった。
また、従来の回転演出体駆動演出装置では、演出体はアクチュエータの回転軸を中心に、そこから若干離れた位置で回転（公転）するので、直接回転（自転）するよりはダイナミックな回転演出となるが、未だ演出効果は低かった。
【０００６】
本発明の課題は、直線移動演出体又は回転演出体について、その演出効果を高めることができる遊技盤面における演出装置を提供することにある。
【課題を解決するための手段】
【０００７】
上記課題を解決するための手段を以下に述べる。
各手段は、項に区分し、各項に番号を付し、必要に応じて他の項の番号を引用する形式で記載する。これは、本発明の理解を容易にするためであって、本明細書に記載の技術的特徴が以下の各項に記載のものに限定されるものではない。
以下の各手段のうち、（１）項が請求項１に、（２）項が請求項２に、各々対応する。
（１）遊技盤面に沿う方向に直線状に進退移動可能な第１演出体、又は前記遊技盤面に交差する方向に突出する回転軸により回転する第２演出体及び、それら演出体を動作させるモータを備えた演出装置であって、前記第１演出体は、その移動中心軸と交差する方向に突出する支軸に揺動自在に軸支され、かつその軸支点が当該第１演出体の重心から外れた位置に設定され、更に所定の遊技演出時に合わせて非動作状態から直線移動し、その移動時に前記遊技盤面に沿う方向でゆらゆらと不規則に揺れ動くように構成され、前記第２演出体は、前記回転軸の回転により回動するアームの前記回転軸から離れた位置の作動端側に固着された支軸に揺動自在に軸支され、かつその軸支点が当該第２演出体の重心から外れた位置に設定され、更に所定の遊技演出時に合わせて前記回転軸が回転し、その回転が停止するまで前記回転軸を中心に一方向又はその逆方向に公転回転し、その際の前記アームの駆動に伴って当該第２演出体の自重と慣性でゆらゆらと不規則に揺れ動くように構成されることを特徴とする遊技盤面における演出装置。
（２）前記第１演出体と前記第２演出体は、前記遊技盤面に配置される図柄表示器の画面の四辺を囲むようにほぼ四角枠状に形成されたセンタ役物の一部をなし、前記画面に表示される図柄及び／又は画像による所定の遊技演出時に合わせた前記直線移動又は前記公転回転によって、各々がゆらゆらと不規則に揺れ動くように構成されることを特徴とする（１）項に記載の遊技盤面における演出装置。
【発明の効果】
【０００８】
（１）項に記載の発明によれば、直線移動演出体又は回転演出体について、その演出効果を高めることができる。
（２）項に記載の発明によれば、（１）項に記載の遊技盤面における演出装置において、更に演出効果を高めることができる。
【発明を実施するための最良の形態】
【０００９】
以下、本発明の実施の形態を図面に基づき説明する。なお、各図間において、同一符号は同一又は相当部分を示す。
図１は本発明に係る遊技盤面における演出装置を搭載したセンタ役物の一例を示す正面図、図２は同じく右側方からの斜視図である。
両図において、１は直線移動演出体光演出装置、２は回転演出体駆動演出装置であって、共に遊技盤面における演出装置の一実施形態をなすものである。これら両演出装置１，２は、図示例ではいずれもセンタ役物３に搭載され、センタ役物３の一部を構成している。
ここでセンタ役物３は、後述する遊技盤面のほぼ中央に配置される液晶表示器等からなる図柄表示器の画面（図柄表示画面）の四辺を囲むようにほぼ四角枠状に形成され、ワープ通路４や球振分け体５等を備える主要な盤面構成部品である。
上記ワープ通路４は、遊技盤面に設定された遊技領域から遊技球を受け入れて下方に流下させる球通路である。また球振分け体５は、ワープ通路４からの遊技球を、直下に始動入賞口が開口する位置又はそれ以外の位置のどちらから遊技領域に排出させるかを振分ける遊技球振分部材である。
なお、遊技盤面、遊技領域、図柄表示画面、始動入賞口等についての詳細は後述する。
【００１０】
以下、直線移動演出体光演出装置１及び回転演出体駆動演出装置２について説明する。
図１，図２に示すように、直線移動演出体光演出装置１は、合成樹脂等からなる直線移動演出体１ａと単色又は複数色のＬＥＤ等からなる光源１ｂとを備えて構成される。この場合、直線移動演出体１ａは図中矢印アに示すように直線状に進退移動可能である。
また光源１ｂは、その光軸１ｃを上記直線移動演出体１ａの移動中心軸（矢印アの直線部分）とほぼ同軸上、又は近接並行する位置に置いた状態で、直線移動演出体１ａに対向して配置される。すなわち、光源１ｂからの光（矢印イで示す。）が、直線移動演出体１ａが移動する全範囲あるいは多くの範囲（少なくとも従来技術における特定の位置よりも広い範囲）にわたって照射可能に配置構成される。
なお、直線移動演出体１ａの正面側には所望の図案、装飾等が印刷あるいは浮彫り等で施されている。
【００１１】
また、回転演出体駆動演出装置２は、遊技盤面に交差する方向に突出する回転軸２ｂの回転により、回転演出体２ａ全体が、回転軸２ｂから離れた位置で同回転軸２ｂを中心に回転、つまり公転（矢印ウ参照）するように構成される。また、この公転により回転演出体２ａがゆらゆらと不規則に揺れ動く（矢印エ参照）ように構成される。
回転演出体２ａも、直線移動演出体１ａと同様に、正面側には所望の図案、装飾等が印刷あるいは浮彫り等で施されている。
【００１２】
図３は、図１中の直線移動演出体１ａ及び回転演出体２ａ部分を取り出し、拡大して示す図で、（ａ）は斜視図、（ｂ）は裏面図、（ｃ）は右側面図である。
図３から分かるように、直線移動演出体１ａ及び回転演出体２ａは、それらの駆動装置１ｄ，２ｃと共に演出体ユニット３１として１ユニット化されている。
図示するように、演出体ユニット３１は、表カバー３２と裏カバー３３とが重ね合わされてなり、裏カバー３３には直線移動演出体駆動装置１ｄ及び回転演出体駆動装置２ｃが組み込まれている。
この図３は、直線移動演出体１ａ及び直線移動演出体駆動装置１ｄについては非動作状態を、回転演出体２ａ及び回転演出体駆動装置２ｃについては動作状態を示している。
【００１３】
以下、両演出体１ａ，２ａ及び両駆動装置１ｄ，２ｃの構成及び動作の詳細について説明する。
まず、直線移動演出体１ａ及び直線移動演出体駆動装置１ｄの構成及び動作を、図３に図４〜図６を併用して説明する。
図４は直線移動演出体駆動装置１ｄの動作状態の裏面拡大図で、表カバー３２は図示を省略している。図５は同駆動装置１ｄを、表，裏カバー３２，３３を省略して示す正面図、図６は同じく裏面図である。図５，図６の（ａ）は各々非動作状態を、同（ｂ）は各々動作状態を示す。
直線移動演出体駆動装置１ｄは、図示例ではモータ４１、ギヤ４２，４３、リンク部材４４，４５を備えてなる。直線移動演出体１ａはリンク部材４５の作動端に２点止めされている。
【００１４】
いま、図３（ｂ）、図５（ａ）、図６（ａ）に示す直線移動演出体１ａ及び直線移動演出体駆動装置１ｄの非動作状態からモータ４１が回転開始すると、ギヤ４２，４３が矢印オ，カに示す方向に回転し、リンク部材４４，４５が矢印キ，クに示す方向に駆動する。したがって、同矢印ク方向に直線移動演出体１ａが移動され、図５（ｂ）、図６（ｂ）に示す動作状態となる。モータ４１が逆方向に回転すると、ギヤ４２，４３及びリンク部材４４，４５も上述とは逆方向に回転、駆動し、直線移動演出体１ａも逆方向に移動し、非動作状態に戻る。
【００１５】
本実施形態によれば、図１、図２中の光源１ｂは、上述したようにその光軸１ｃを直線移動演出体１ａの移動中心軸とほぼ同軸上、又は近接並行する位置に置いた状態で、直線移動演出体１ａに対向して配置されている。したがって、直線移動演出体１ａの移動時に点灯すれば、その全範囲あるいは多くの範囲（少なくとも従来技術における特定の位置よりも広い範囲）にわたって直線移動演出体１ａに光を照射でき、光の演出効果を十分得ることができる。
この場合、構成部品点数は従来技術（直線移動演出体光演出装置）とほぼ同様であり、また、直線移動演出体１ａ自身には光源１ｂを有さず、したがって直線移動演出体１ａへの配線も無用である。
【００１６】
次に、回転演出体２ａ及び回転演出体駆動装置２ｃの構成及び動作を、図３に図７〜図９を併用して説明する。
図７は回転演出体駆動装置２ｃの動作状態の裏面拡大図で、表カバー３２は図示を省略している。図８は同駆動装置２ｃを、表，裏カバー３２，３３を省略して示す正面図、図９は同じく裏面図である。図８，図９の（ａ）は各々非動作状態を、同（ｂ）は各々動作状態を示す。
回転演出体駆動装置２ｃは、図示例ではモータ７１、回転軸２ｂ、アーム７２等を備えてなる。回転演出体２ａは、アーム７２の作動端にある支軸７３の遊技盤面正面側に揺動自在に軸支（遊びを有して１点止め）されている。この場合、回転演出体２ａの支軸７３への軸支点は同回転演出体２ａの重心から外れた位置に設定されている。
【００１７】
いま、図８（ａ）、図９（ａ）に示す回転演出体２ａ及び回転演出体駆動装置２ｃの非動作状態からモータ７１が回転開始すると、回転軸２ｂが回転し、アーム７２が矢印ケ方向に駆動する。すなわち、回転演出体２ａ全体が回転軸２ｂからアーム７２長さ分、離れた位置で同回転軸２ｂを中心に回転、つまり公転（矢印ウ参照）する。図３（ｂ）、図８（ｂ）、図９（ｂ）は、モータ７１が回転開始後の公転途中の動作状態を示している。
ここで、回転演出体２ａの軸支点は回転演出体２ａの重心から外れた位置にあるので、回転演出体２ａは上記公転と共に、ゆらゆらと不規則に揺れ動く（矢印エ参照）。
モータ７１が逆方向に回転すると、回転軸２ｂ、アーム７２も逆方向に回転、駆動し、回転演出体２ａは逆方向に公転する。回転演出体２ａが公転と共に、ゆらゆらと不規則に揺れ動くことは変わらない。
このような動作は、モータ７１の回転が停止するまで継続する。
なお本実施形態では、図１，図２に示すように、回転演出体駆動演出装置２は回転演出体２ａに光を照射するためのＬＥＤ等からなる光源２ｄも備えている。
【００１８】
本実施形態によれば、回転演出体２ａは、その全体が回転軸２ｂから離れた位置で同回転軸２ｂを中心に回転、つまり公転（矢印ウ参照）し、同時に回転演出体２ａは、その自重と慣性でゆらゆらと不規則に揺れ動くので、回転演出体２ａによる演出効果を従来技術（単に公転するだけの回転演出体駆動演出装置）よりも高めることができる。しかも従来技術とほぼ同様の部品点数で構成できる利点がある。
【００１９】
図１０は、上述した直線移動演出体光演出装置１及び回転演出体駆動演出装置２がセンタ役物３の一部として用いられたパチンコ機の遊技盤面の一例を概略的に示す図である。
この図に示すように、遊技盤面（以下、盤面と略記する。）９１には、レール９２が取り付けられており、このレール９２の内側には、遊技領域９３が形成されている。レール９２は、図示しないハンドルの操作により発射された遊技球（図示せず）を盤面９１の左側上部から遊技領域９３へ送り込むように案内する。
【００２０】
盤面９１には、レール９２の他にも種々の盤面構成部品が設けられている。
すなわち、盤面９１のほぼ中央には液晶表示器等からなる図柄表示器の画面（図柄表示画面）１０１が配置され、この図柄表示画面１０１の周囲にはセンタ役物３が配置されている。
図柄表示画面１０１の下方には始動入賞口９４が設けられ、また、始動入賞口９４の下方には大入賞口９５が設けられている。その他、いくつかの一般入賞口９６が盤面９１上に設けられている。
上記大入賞口９５は、大当り開放時に、他の入賞口９４，９６よりも入賞が著しく容易な形態となるように、ここでは入賞開口が著しく大きくなるように構成されている。
【００２１】
盤面９１のレール９２内側の左サイドには、サイドランプ９７が設けられている。ゲート９８や風車９９も適所に設けられている。
レール９２内側の最下部には、入賞しなかった遊技球を回収するアウト口１００が設けられている。
更に、上記各部品９４〜９９やアウト口１００を避けた適宜箇所には、多数の遊技釘（図示省略）が打ち込まれている。なお、盤面９１は透明ガラス板（図示せず）により覆われ、遊技球が遊技領域９３から離脱することはない。
【００２２】
上記図柄表示画面１０１の表示領域は、例えば横方向に左、中、右、３つの表示領域ＬＡ，ＣＡ，ＲＡに分けられている。
これら３つの表示領域ＬＡ，ＣＡ，ＲＡには各々図柄Ｌ，Ｃ，Ｒが表示されるが、表示される図柄Ｌ，Ｃ，Ｒは変動可能であり、また、変動開始すると所定時間後に停止するようになされている。このときの表示図柄Ｌ，Ｃ，Ｒは、ここでは３つの表示領域ＬＡ，ＣＡ，ＲＡ共に０〜９までの数字であり、変動時にはこの数字０〜９が繰り返し表示される。表示図柄Ｌ，Ｃ，Ｒの変動は、始動入賞口９４への遊技球の入賞により行われる、大当りか外れかの抽選と共に、又は抽選直後に開始される。
【００２３】
以上のような盤面９１の構成において、上述した実施形態に係る直線移動演出体光演出装置１及び回転演出体駆動演出装置２はセンタ役物３の一部として用いられ、センタ役物３の図柄表示用窓１０４の右辺側の上下方向に配置されている。
そして、直線移動演出体光演出装置１の直線移動演出体１ａによる光の演出を伴う直線移動や、回転演出体駆動演出装置２の回転演出体２ａによる不規則な揺動を伴う公転回転が図柄表示画面１０１に表示される図柄や画像による所定の遊技演出時に合わせて行われ、新規な演出効果を発揮する。
【００２４】
なお、上述した直線移動演出体１ａや回転演出体２ａによる演出動作は、パチンコ機の主制御回路（図示せず）で実行されるプログラムによって予め決められたイベントの発生時（図柄表示画面１０１に表示される図柄や画像による所定の演出時）に行われる。イベントの発生時とは、例えばリーチに係る予告演出時や大当り予告演出時、あるいは大当り抽選において大当りを引いた時等が例として挙げられるが、そのうちのいずれにするかは任意である。
【００２５】
なお上述実施形態では、直線移動演出体のリンク部材への支持固定を２点で行った（２点止めした）が、回転演出体のアームへの支持固定と同様に遊びを有した１点止めとし、かつその軸支点を直線移動演出体の重心から外れた位置としてもよい。これによれば、直線移動演出体もその移動時にゆらゆらと不規則に揺れ動き、演出効果を高めることができる。
【図面の簡単な説明】
【００２６】
【図１】本発明に係る遊技盤面における演出装置を搭載したセンタ役物の一例を示す正面図である。
【図２】同じく右側方からの斜視図である。
【図３】図１中の直線移動演出体及び回転演出体部分を取り出し、拡大して示す図で、（ａ）は斜視図、（ｂ）は裏面図、（ｃ）は右側面図である。
【図４】図３中の直線移動演出体駆動装置の動作状態の裏面拡大図である。
【図５】同上駆動装置を、表，裏カバーを省略して示す正面図である。
【図６】同じく裏面図である。
【図７】図３中の回転演出体駆動装置の動作状態の裏面拡大図である。
【図８】同上駆動装置を、表，裏カバーを省略して示す正面図である。
【図９】同じく裏面図である。
【図１０】図１に示したセンタ役物が用いられたパチンコ機の遊技盤面の一例を概略的に示す図である。
【符号の説明】
【００２７】
１：直線移動演出体光演出装置、１ａ：直線移動演出体、１ｂ：光源、１ｃ：光軸、１ｄ：直線移動演出体駆動装置、２：回転演出体駆動演出装置、２ａ：回転演出体、２ｂ：回転軸、２ｃ：回転演出体駆動装置、２ｄ：光源、３：センタ役物、４：ワープ通路、５：球振分け体、９１：盤面（遊技盤面）、９３：遊技領域、９４：始動入賞口。
【図１】
0005341371.tif 000002
【図２】
0005341371.tif 000003
【図３】
0005341371.tif 000004
【図４】
0005341371.tif 000005
【図５】
0005341371.tif 000006
【図６】
0005341371.tif 000007
【図７】
0005341371.tif 000008
【図８】
0005341371.tif 000009
【図９】
0005341371.tif 000010
【図１０】
0005341371.tif 000011